(57)【要約】【課題】横たわる向きおよび位置を利用者が自由に選択可能な液圧式マッサージ装置を提供する。【解決手段】ウォーターベッドは、支持シート８０と、利用者に支持シート８０を介して液体を噴き付ける噴射部と、支持シート８０のＹ軸正側に配置された第１識別子群１２１と、支持シート８０のＹ軸負側に配置された第２識別子群１２２と、支持シート８０上に横たわった利用者の肩の位置に対応する識別子を第１識別子群１２１および第２識別子群１２２から選択して入力可能であるとともに、利用者の身長と向きと、を入力可能な表示入力部と、表示入力部により入力された肩の位置に対応する識別子、利用者の身長および向きに基づいて、噴射部を駆動する制御部と、を備える。【選択図】図５
2017185031.tif 000002
【特許請求の範囲】
【請求項１】
一方向に長い横臥領域を有する支持シートと、
前記横臥領域の長手方向に沿って前記支持シート上に横たわる利用者に前記支持シートを介して液体を噴き付ける噴射部と、
前記長手方向の一方側に前記長手方向に沿って所定間隔で配置された第１識別子群と、
前記長手方向の他方側に前記長手方向に沿って所定間隔で配置された第２識別子群と、
前記支持シート上に横たわった前記利用者の所定の部位の位置に対応する識別子を前記第１識別子群および前記第２識別子群から選択して入力可能であるとともに、前記利用者の長さと、前記支持シート上に横たわった前記利用者の向きと、を入力可能な入力部と、
前記入力部により入力された前記部位の位置に対応する前記識別子、前記利用者の長さ、および、前記利用者の向きに基づいて、前記噴射部を駆動する制御部と、を備える、
ことを特徴とする液圧式マッサージ装置。
【請求項２】
請求項１に記載の液圧式マッサージ装置において、
前記第１識別子群と前記第２識別子群は、互いに同じ種類の文字からなっている、
ことを特徴とする液圧式マッサージ装置。
【請求項３】
一方向に長い横臥領域を有する支持シートと、
前記横臥領域の長手方向に沿って前記支持シート上に横たわる利用者に前記支持シートを介して液体を噴き付ける噴射部と、
前記長手方向の一方側に前記長手方向に沿って所定間隔で配置された第１識別子群と、
前記長手方向の他方側に前記長手方向に沿って所定間隔で配置された前記第１識別子群と異なる第２識別子群と、
前記支持シート上に横たわった前記利用者の所定の部位の位置に対応する識別子を前記第１識別子群および前記第２識別子群から選択して入力可能であるとともに、前記利用者の長さを入力可能な入力部と、
前記入力部により入力された前記部位の位置に対応する前記識別子および前記利用者の長さに基づいて、前記支持シート上に横たわった前記利用者の位置、長さおよび向きに適応するよう前記噴射部を駆動する制御部と、を備える、
ことを特徴とする液圧式マッサージ装置。
【請求項４】
請求項３に記載の液圧式マッサージ装置において、
前記第１識別子群と前記第２識別子群は、互いに異なる種類の文字からなっている、
ことを特徴とする液圧式マッサージ装置。
【請求項５】
請求項１ないし４の何れか一項に記載の液圧式マッサージ装置において、
前記第１識別子群は、第１方向に横たわる前記利用者の上半身側に配置され、
前記第２識別子群は、前記第１方向に横たわる前記利用者の下半身側に配置される、
ことを特徴とする液圧式マッサージ装置。
【請求項６】
請求項５に記載の液圧式マッサージ装置において、
前記第１識別子群は、前記第１方向に横たわる前記利用者の肩に相当する範囲、かつ、前記第１方向と反対の第２方向に横たわる前記利用者の足首に相当する範囲に配置され、
前記第２識別子群は、前記第１方向に横たわる前記利用者の足首に相当する範囲、かつ、前記第２方向に横たわる前記利用者の肩に相当する範囲に配置される、
ことを特徴とする液圧式マッサージ装置。
【請求項７】
請求項１ないし６の何れか一項に記載の液圧式マッサージ装置において、
前記第１識別子群および前記第２識別子群は、本体上面に配置される、
ことを特徴とする液圧式マッサージ装置。
【請求項８】
請求項７に記載の液圧式マッサージ装置において、
前記第１識別子群および前記第２識別子群は、前記支持シートの外側の縁に配置される、
ことを特徴とする液圧式マッサージ装置。
【請求項９】
一方向に長い横臥領域を有する支持シートと、
前記横臥領域の長手方向に沿って前記支持シート上に横たわる利用者に前記支持シートを介して液体を噴き付ける噴射部と、
前記長手方向の中央に前記長手方向に沿って所定間隔で配置された識別子群と、
前記支持シート上に横たわった前記利用者の所定の部位の位置に対応する識別子を前記識別子群から選択して入力可能であるとともに、前記利用者の長さと、前記支持シート上に横たわった前記利用者の向きと、を入力可能な入力部と、
前記入力部により入力された前記部位の位置に対応する前記識別子、前記利用者の長さ、および、前記利用者の向きに基づいて、前記噴射部を駆動する制御部と、を備える、
ことを特徴とする液圧式マッサージ装置。
【請求項１０】
請求項１ないし９の何れか一項に記載の液圧式マッサージ装置において、
前記制御部は、前記入力部を介して前記利用者のマッサージ対象とする部位を受け付け、受け付けた前記マッサージ対象とする部位に対して前記液体を吹き付けるよう前記噴射部を駆動する、
ことを特徴とする液圧式マッサージ装置。
【発明の詳細な説明】
【技術分野】
【０００１】
本発明は、利用者に液圧による刺激を与える液圧式マッサージ装置に関する。
【背景技術】
【０００２】
従来、支持シート上に横たわる利用者に液圧による刺激を与える液圧式マッサージ装置が知られている。液圧式マッサージ装置では、マッサージ対象とする部位に的確に刺激を与えるために、利用者の身長および向き等、支持シート上に横たわる利用者の状態を特定するための情報が必要となる。
【０００３】
特許文献１には、利用者の足部を保持する保持部と、頭頂部の位置を検出するセンサとを備える装置が記載されている。この装置では、センサの出力信号に基づいて首筋から足先までといった所望のマッサージ範囲が設定され、設定されたマッサージ範囲に基づいてマッサージが行われる。
【先行技術文献】
【特許文献】
【０００４】
【特許文献１】特開２０１３−２４０５５４号公報
【発明の概要】
【発明が解決しようとする課題】
【０００５】
上記特許文献１に記載の装置では、利用者の足部が保持されることにより利用者の向きが決められてしまうため、利用者は横たわる向きおよび位置を自由に選択できない。
【０００６】
上記課題に鑑み、本発明は、横たわる向きおよび位置を利用者が自由に選択可能な液圧式マッサージ装置を提供することを目的とする。
【課題を解決するための手段】
【０００７】
本発明の第１の態様に係る液圧式マッサージ装置は、一方向に長い横臥領域を有する支持シートと、前記横臥領域の長手方向に沿って前記支持シート上に横たわる利用者に前記支持シートを介して液体を噴き付ける噴射部と、前記長手方向の一方側に前記長手方向に沿って所定間隔で配置された第１識別子群と、前記長手方向の他方側に前記長手方向に沿って所定間隔で配置された第２識別子群と、前記支持シート上に横たわった前記利用者の所定の部位の位置に対応する識別子を前記第１識別子群および前記第２識別子群から選択して入力可能であるとともに、前記利用者の長さと、前記支持シート上に横たわった前記利用者の向きと、を入力可能な入力部と、前記入力部により入力された前記部位の位置に対応する前記識別子、前記利用者の長さ、および、前記利用者の向きに基づいて、前記噴射部を駆動する制御部と、を備える。
【０００８】
第１の態様に係る液圧式マッサージ装置によれば、入力部を介して入力された識別子に基づいて、支持シート上に横たわる利用者の位置を特定でき、入力部を介して入力された利用者の長さおよび向きに基づいて、支持シート上に横たわる利用者の長さおよび向きを特定できる。これにより、利用者は、制約無く支持シートに横たわればよく、どちらの向きで支持シート上に横たわったとしても、利用者に対するマッサージが円滑に行われ得る。よって、たとえば病態により本体に対して特定の向きで横たわることが難しい利用者でも、容易に横たわることができる向きを選んで支持シート上に横たわればよい。
【０００９】
第１の態様に係る液圧式マッサージ装置において、前記第１識別子群と前記第２識別子群は、互いに同じ種類の文字からなっている。こうすると、操作者は、迷うことなく円滑に、識別子の入力を行える。
【００１０】
本発明の第２の態様に係る液圧式マッサージ装置は、一方向に長い横臥領域を有する支持シートと、前記横臥領域の長手方向に沿って前記支持シート上に横たわる利用者に前記支持シートを介して液体を噴き付ける噴射部と、前記長手方向の一方側に前記長手方向に沿って所定間隔で配置された第１識別子群と、前記長手方向の他方側に前記長手方向に沿って所定間隔で配置された前記第１識別子群と異なる第２識別子群と、前記支持シート上に横たわった前記利用者の所定の部位の位置に対応する識別子を前記第１識別子群および前記第２識別子群から選択して入力可能であるとともに、前記利用者の長さを入力可能な入力部と、前記入力部により入力された前記部位の位置に対応する前記識別子および前記利用者の長さに基づいて、前記支持シート上に横たわった前記利用者の位置、長さおよび向きに適応するよう前記噴射部を駆動する制御部と、を備える。
【００１１】
第２の態様に係る液圧式マッサージ装置によれば、入力部を介して入力された所定の部位の位置に対応する識別子に基づいて、支持シート上に横たわる利用者の位置および向きを特定できる。また、入力部を介して入力された利用者の長さに基づいて、支持シート上に横たわる利用者の長さを特定できる。これにより、利用者は、上記第１の態様の場合と同様、制約無く支持シートに横たわればよく、どちらの向きで支持シート上に横たわったとしても、利用者に対するマッサージが円滑に行われ得る。よって、たとえば病態により本体に対して特定の向きで横たわることが難しい利用者でも、容易に横たわることができる向きを選んで支持シート上に横たわればよい。
【００１２】
第２の態様に係る液圧式マッサージ装置において、前記第１識別子群と前記第２識別子群は、互いに異なる種類の文字からなる構成とされ得る。こうすると、操作者は、文字種により各識別子群を明確に区別でき、識別子群に基づく入力を円滑に進めることができる。
【００１３】
第１および第２の態様に係る液圧式マッサージ装置において、前記第１識別子群は、第１方向に横たわる前記利用者の上半身側に配置され、前記第２識別子群は、前記第１方向に横たわる前記利用者の下半身側に配置され得る。
【００１４】
この場合、前記第１識別子群は、たとえば、前記第１方向に横たわる前記利用者の肩に相当する範囲、かつ、前記第１方向と反対の第２方向に横たわる前記利用者の足首に相当する範囲に配置され、前記第２識別子群は、たとえば、前記第１方向に横たわる前記利用者の足首に相当する範囲、かつ、前記第２方向に横たわる前記利用者の肩に相当する範囲に配置され得る。
【００１５】
第１および第２の態様に係る液圧式マッサージ装置において、前記第１識別子群および前記第２識別子群は、本体上面に配置され得る。こうすると、第１識別子群と第２識別子群を操作者が視認しやすくなる。
【００１６】
この場合、前記第１識別子群および前記第２識別子群は、前記支持シートの外側の縁に配置され得る。こうすると、第１識別子群と第２識別子群が支持シートに配置される場合に比べて、支持シート上に横たわる利用者によって第１識別子群と第２識別子群が隠されにくくなる。このため、第１識別子群と第２識別子群を操作者が視認しやすくなる。
【００１７】
本発明の第３の態様に係る液圧式マッサージ装置は、一方向に長い横臥領域を有する支持シートと、前記横臥領域の長手方向に沿って前記支持シート上に横たわる利用者に前記支持シートを介して液体を噴き付ける噴射部と、前記長手方向の中央に前記長手方向に沿って所定間隔で配置された識別子群と、前記支持シート上に横たわった前記利用者の所定の部位の位置に対応する識別子を前記識別子群から選択して入力可能であるとともに、前記利用者の長さと、前記支持シート上に横たわった前記利用者の向きと、を入力可能な入力部と、前記入力部により入力された前記部位の位置に対応する前記識別子、前記利用者の長さ、および、前記利用者の向きに基づいて、前記噴射部を駆動する制御部と、を備える。
【００１８】
第３の態様に係る液圧式マッサージ装置によれば、入力部を介して入力された識別子に基づいて、支持シート上に横たわる利用者の位置を特定でき、入力部を介して入力された利用者の長さおよび向きに基づいて、支持シート上に横たわる利用者の長さおよび向きを特定できる。これにより、利用者は、上記第１、第２の態様の場合と同様、制約無く支持シートに横たわればよく、どちらの向きで支持シート上に横たわったとしても、利用者に対するマッサージが円滑に行われ得る。よって、たとえば病態により本体に対して特定の向きで横たわることが難しい利用者でも、容易に横たわることができる向きを選んで支持シート上に横たわればよい。
【００１９】
第１ないし第３の態様に係る液圧式マッサージ装置において、前記制御部は、前記入力部を介して前記利用者のマッサージ対象とする部位を受け付け、受け付けた前記マッサージ対象とする部位に対して前記液体を吹き付けるよう前記噴射部を駆動する構成とされ得る。
【発明の効果】
【００２０】
以上のとおり、本発明によれば、横たわる向きおよび位置を利用者が自由に選択可能な液圧式マッサージ装置を提供できる。
【００２１】
本発明の効果ないし意義は、以下に示す実施形態の説明により更に明らかとなろう。ただし、以下に示す実施形態は、あくまでも、本発明を実施化する際の一つの例示であって、本発明は、以下の実施形態により何ら制限されるものではない。
【図面の簡単な説明】
【００２２】
【図１】図１は、実施形態１に係るウォーターベッドに含まれる水槽と支持枠の構成を示す斜視図である。
【図２】図２（ａ）は、実施形態１に係るポンプと、回路基板と、収納ボックスと、温度調節器とが設置された後のウォーターベッドの構成を示す斜視図である。図２（ｂ）は、実施形態１に係る噴射部が設置された後のウォーターベッドを上から見た場合の構成を示す平面図である。
【図３】図３（ａ）は、実施形態１に係る支持シートが水槽に付設された後のウォーターベッドの構成を示す斜視図である。図３（ｂ）、（ｃ）は、実施形態１に係る水槽の上面の近傍を切断したときの断面図である。
【図４】図４は、実施形態１に係る利用可能な状態となったウォーターベッドの構成を示す斜視図である。
【図５】図５（ａ）は、実施形態１に係る利用者がＹ軸正方向に横たわった状態のウォーターベッドの本体を上側から見た模式図である。図５（ｂ）は、実施形態１に係る利用者がＹ軸負方向に横たわった状態のウォーターベッドの本体を上側から見た模式図である。
【図６】図６は、実施形態１に係る表示入力部に表示される画面の構成を示す模式図である。
【図７】図７は、実施形態１に係るウォーターベッドの構成を示すブロック図である。
【図８】図８は、実施形態１に係る制御部による制御を示すフローチャートである。
【図９】図９（ａ）は、実施形態２に係る利用者がＹ軸正方向に横たわった状態のウォーターベッドの本体を上側から見た模式図である。図９（ｂ）は、実施形態２に係る表示入力部に表示される画面の利用者情報領域を示す模式図である。
【図１０】図１０（ａ）は、実施形態３に係る利用者がＹ軸正方向に横たわった状態のウォーターベッドの本体を上側から見た模式図である。図１０（ｂ）は、実施形態３に係る表示入力部に表示される画面の利用者情報領域を示す模式図である。
【図１１】図１１（ａ）は、実施形態４に係る利用者がＹ軸正方向に横たわった状態のウォーターベッドの本体を上側から見た模式図である。図１１（ｂ）は、実施形態４に係る表示入力部に表示される画面の利用者情報領域を示す模式図である。
【発明を実施するための形態】
【００２３】
以下、本発明の実施形態につき図面を参照して説明する。
【００２４】
以下に示す実施形態において、ウォーターベッド１は、請求項に記載の「液圧式マッサージ装置」に相当する。表示入力部１ｂは、請求項に記載の「入力部」に相当する。Ｙ軸方向は、請求項に記載の「長手方向」に相当する。Ｙ軸正方向は、請求項に記載の「第１方向」に対応する。Ｙ軸負方向は、請求項に記載の「第２方向」に対応する。ただし、上記請求項と本実施形態との対応の記載は、あくまで一例であって、請求項に係る発明を本実施形態に限定するものではない。
【００２５】
＜実施形態１＞
以下、図１〜図４を参照して、実施形態１に係るウォーターベッド１の構成を組み立て手順に沿って説明する。なお、以下の図面では、便宜上、互いに直交するＸ、Ｙ、Ｚ軸が示されている。Ｘ−Ｙ平面は、水平面に平行で、Ｚ軸方向は鉛直方向である。
【００２６】
図１は、ウォーターベッド１に含まれる水槽１０と支持枠２０の構成を示す斜視図である。
【００２７】
水槽１０は、上部が開放された縦長の船体からなっており、Ｘ軸方向およびＹ軸方向に対称な形状を有する。平面視において、水槽１０の上面１１は、角が丸められた長方形の輪郭を有する。上面１１には、輪郭に沿って溝１１ａが設けられており、溝１１ａには、後述する支持シート８０（図３（ａ）参照）を設置するための枠部材９１（図３（ａ）参照）が設置される。なお、図１〜図２（ｂ）では図示しないが、溝１１ａと上面１１の外周との間には、枠部材９１を固定するために用いる孔１１ｂ（図３（ｂ）、（ｃ）参照）が設けられている。
【００２８】
水槽１０には、上面１１から所定の深さの位置に、Ｘ−Ｙ平面に平行な２つの棚１０ａが設けられ、これら棚１０ａよりもさらに深い位置に、Ｘ−Ｙ平面に平行な底１０ｂが設けられている。Ｘ軸負側の棚１０ａと底１０ｂとを繋ぐ内壁面には、２つの孔１２、１３が設けられている。また、Ｘ軸正側の棚１０ａ（図２（ｂ）参照）と底１０ｂとを繋ぐ内壁面には、孔１４（図２（ｂ）参照）が設けられ、さらに、Ｘ軸正側の棚１０ａには、孔１５（図２（ｂ）参照）が設けられている。また、水槽１０には、Ｙ軸負側の側面からサーミスタ１６が挿入され、サーミスタ１６の温度検出部が水槽１０の内部に位置付けられている。
【００２９】
支持枠２０は、上面が開放された直方形状の枠体であり、Ｘ−Ｙ平面において矩形形状を有する上部材２１と下部材２２、および、上部材２１と下部材２２とを繋ぐＺ軸方向に延びた８本の部材２３を備えている。上部材２１の内側の輪郭は、上面１１の外側の輪郭よりも一回り小さい。部材２３のＺ軸方向の長さは、水槽１０のＺ軸方向の長さよりも大きい。したがって、支持枠２０に上側から水槽１０を嵌め込むと、水槽１０の外周縁が上部材２１に載置され、水槽１０が支持枠２０によって支持される。また、支持枠２０には、支持板２４が溶接によって取り付けられている。
【００３０】
組み立て時には、水槽１０が上側から支持枠２０に嵌め込まれた後、図２（ａ）に示すように、ポンプ３０と、回路基板４０と、収納ボックス５０と、温度調節器６０とが、支持板２４に設置される。
【００３１】
図２（ａ）は、ポンプ３０と、回路基板４０と、収納ボックス５０と、温度調節器６０とが設置された後のウォーターベッド１の構成を示す斜視図である。
【００３２】
ポンプ３０の取込口３１と排出口３２は、それぞれ、配管を介して水槽１０の孔１４、１５（図２（ｂ）参照）に連結される。回路基板４０は、収納ボックス５０に収納された状態で、支持板２４に設置される。収納ボックス５０には、回路基板４０以外の電気系統も収納される。回路基板４０には、サーミスタ１６と、ポンプ３０と、温度調節器６０と、噴射部７０（図２（ｂ）参照）と、表示入力部１ｂ（図４参照）とが、図示しないケーブルにより電気的に接続されている。
【００３３】
温度調節器６０は、図示しないポンプと、加温部と、冷却部と、を備える。温度調節器６０の取込口と排出口は、それぞれ、配管を介して水槽１０の孔１２と孔１３に連結される。温度調節器６０は、孔１２から取り込んだ液体（実施形態１では水）を、加温部で加温し、または、冷却部で冷却した後、孔１３から排出する。加温および冷却の何れが実行されるかは、サーミスタ１６により検出された温度が所定の温度となるように、回路基板４０の制御部４１（図７参照）により決定される。
【００３４】
図２（ａ）に示すように組み立てが行われた後、図２（ｂ）に示すように、水槽１０に噴射部７０が設置される。
【００３５】
図２（ｂ）は、噴射部７０が設置された後のウォーターベッド１を上から（Ｚ軸負方向に）見た場合の構成を示す平面図である。
【００３６】
噴射部７０は、２つのプーリ７１と、２つのプーリ７１間に張設されたベルト７２と、ベルト７２に連結されＹ軸方向に移動可能に支持された移動板７３と、移動板７３に回転可能に支持された２つの回転子７４と、２つの配管７５と、Ｙ軸正側のプーリ７１を回転させるためのステッピングモータ７６と、を備える。２つの回転子７４には、それぞれ、水を噴射する噴射口７４ａが設けられている。噴射口７４ａには、給水口（図示せず）を介して水が供給され、この給水口は、弾性変形可能な配管７５を介して、水槽１０の孔１５に連結されている。したがって、ポンプ３０が駆動されると、孔１４から取り込まれた水が、噴射口７４ａから上方向に噴射される。
【００３７】
Ｙ軸正側のプーリ７１がステッピングモータ７６によって回転されると、２つの回転子７４が移動板７３とともにＹ軸方向に移動する。回転子７４のＹ軸方向の位置は、回転子７４がＹ軸正側の端に位置する状態を原点位置として、ステッピングモータ７６に供給されるパルスのステップ数に応じて決められる。また、２つの回転子７４は、移動板７３上で図示しないモータによりＺ軸を軸として回転する。こうして、噴射口７４ａは、回転しつつＹ軸方向に移動される。
【００３８】
図２（ｂ）に示すように組み立てが行われた後、図３（ａ）に示すように、水槽１０の上部を覆うよう、支持シート８０が水槽１０に付設される。
【００３９】
図３（ａ）は、支持シート８０が水槽１０に付設された後のウォーターベッド１の構成を示す斜視図である。
【００４０】
支持シート８０には、給水用の孔８１が設けられている。支持シート８０は、弾性に富む材料により構成され、枠部材９１と１４個の留め具９２により液漏れがないよう水槽１０に付設される。
【００４１】
図３（ｂ）、（ｃ）は、Ｘ軸正側の上面１１の近傍をＸ−Ｚ平面で切断したときの断面図である。ここでは、支持シート８０の設置手順を説明するために、Ｘ軸正側の上面１１に設置される留め具９２を一例として図示しているが、上面１１の他の部分に対しても同様にして留め具９２が設置される。
【００４２】
支持シート８０が水槽１０に付設される際、まず、溝１１ａを覆うように、支持シート８０が水槽１０の上方に位置付けられる。続いて、枠部材９１が、支持シート８０の上から溝１１ａに向かって押し付けられる。さらに、枠部材９１は、留め具９２により上から押さえられる。ここで、留め具９２には、留め具９２をＺ軸方向に貫通する孔９２ａが設けられており、上面１１には、上面１１をＺ軸方向に貫通する孔１１ｂが設けられている。枠部材９１が留め具９２により上から押さえられた状態で、ネジ９３が孔９２ａ、１１ｂに通されることにより、図３（ｃ）に示すように、留め具９２が上面１１に固定される。
【００４３】
こうして、図３（ａ）に示すように、枠部材９１と１４個の留め具９２により、支持シート８０が水槽１０に対して付設される。水槽１０に支持シート８０が付設されることにより、水槽１０と支持シート８０とによって閉じられた空間が形成される。
【００４４】
図３（ａ）に示すように組み立てが行われた後、図４に示すように、筐体１００が、支持枠２０の側面と水槽１０の上面１１とを覆うように設置される。これにより、本体１ａの組み立てが完了する。
【００４５】
図４に示すように、筐体１００の上面１０１には、Ｚ軸負方向に見て中央に開口１０１ａが形成されており、支持シート８０は、開口１０１ａを介してＺ軸正方向に開放されている。支持シート８０の上面のうち、開口１０１ａを介してＺ軸正方向に開放された領域が、マッサージ動作において利用者が横たわることが可能な横臥領域Ａ１である。横臥領域Ａ１のＹ軸方向の長さは、横臥領域Ａ１のＸ軸方向の長さよりも長い。利用者は、マッサージを受ける際、横臥領域Ａ１内の所望の位置に、横臥領域Ａ１の長手方向に沿って横たわる。
【００４６】
筐体１００の上面１０１は、開口１０１ａのＸ軸正側、すなわち、支持シート８０のＸ軸正方向の外側と、開口１０１ａのＸ軸負側、すなわち、支持シート８０のＸ軸負方向の外側に、それぞれ、一定幅の縁１１１、１１２を有する。縁１１１のＹ軸正側およびＹ軸負側には、それぞれ、第１識別子群１２１と第２識別子群１２２が配置されている。同様に、縁１１２のＹ軸正側およびＹ軸負側にも、それぞれ、第１識別子群１２１と第２識別子群１２２が配置されている。第１識別子群１２１と第２識別子群１２２は、後述するように、文字種が互いに同じである。
【００４７】
第１識別子群１２１と第２識別子群１２２は、支持シート８０上に横たわる利用者の位置を特定できるよう、目盛りと、目盛りに付された識別子とにより構成されている。第１識別子群１２１と第２識別子群１２２の目盛りおよび識別子は、縁１１１、１１２に直接配置されている。第１識別子群１２１と第２識別子群１２２の構成については、追って図５（ａ）、（ｂ）を参照して説明する。
【００４８】
続いて、表示入力部１ｂが、本体１ａのＹ軸正側の側面に設置される。表示入力部１ｂは、電気配線により、回路基板４０（図２（ａ）参照）に接続される。表示入力部１ｂは、タッチパネル式のディスプレイにより構成され、操作者による入力を受け付ける。こうして、図４に示すように、ウォーターベッド１の組み立てが完了する。
【００４９】
次に、ウォーターベッド１の組み立てが完了した後、水槽１０と支持シート８０とによって閉じられた空間に、孔８１を介して水が供給され、この空間が満水状態とされる。その後、孔８１が蓋８２によって塞がれる。こうして、ウォーターベッド１が利用可能な状態となる。
【００５０】
図５（ａ）、（ｂ）は、ウォーターベッド１の本体１ａを上側から見た模式図である。
【００５１】
第１識別子群１２１と第２識別子群１２２は、互いに同じ種類の文字（数字）からなっている。第１識別子群１２１は、点で示された目盛りと、目盛りに付された“１”〜“８”の識別子とにより構成されている。同様に、第２識別子群１２２は、点で示された目盛りと、目盛りに付された“１”〜“８”の識別子とにより構成されている。第１識別子群１２１は、昇順でＹ軸負方向に所定間隔で並んでおり、第２識別子群１２２は、昇順でＹ軸正方向に所定間隔で並んでいる。第１識別子群１２１と第２識別子群１２２の識別子は、いずれも、本体１ａの近傍に立った操作者が文字を認識しやすいように、上部がＹ軸方向において本体１ａの中心に向けられている。
【００５２】
また、第１識別子群１２１のＹ軸正側の端にある文字“１”は、噴射部７０の動作可能範囲Ｒ３のＹ軸正側の端に位置付けられている。第２識別子群１２２のＹ軸負側の端にある文字“１”は、噴射部７０の動作可能範囲Ｒ３のＹ軸負側の端に位置付けられている。ここでは、動作可能範囲Ｒ３において、噴射部７０によるマッサージが可能である。
【００５３】
図５（ａ）は、利用者が、支持シート８０上でＹ軸正方向に横たわっている状態を示す。利用者がＹ軸正方向に横たわることにより、利用者の頭はＹ軸正側に向けられ、利用者の足はＹ軸負側に向けられる。
【００５４】
図５（ａ）に示すように利用者が支持シート８０上に横たわった場合、第１識別子群１２１が、利用者の上半身側に配置される。より詳細には、第１識別子群１２１は、Ｙ軸正方向に横たわる利用者の肩に相当する範囲に配置される。これにより、第１識別子群１２１を用いて、Ｙ軸方向すなわち利用者の身長方向において、利用者の肩の位置を特定できる。図５（ａ）に示す例では、利用者の肩が、第１識別子群１２１の“７”の位置にある。
【００５５】
図５（ｂ）は、利用者が、支持シート８０上でＹ軸負方向に横たわっている状態を示す。利用者がＹ軸負方向に横たわることにより、利用者の頭はＹ軸負側に向けられ、利用者の足はＹ軸正側に向けられる。
【００５６】
図５（ｂ）に示すように利用者が支持シート８０上に横たわった場合、第２識別子群１２２が、利用者の上半身側に配置される。より詳細には、第２識別子群１２２は、Ｙ軸負方向に横たわる利用者の肩に相当する範囲に配置される。この場合、第２識別子群１２２を用いて、Ｙ軸方向すなわち利用者の身長方向において、利用者の肩の位置を特定できる。図５（ｂ）に示す例では、利用者の肩が、第２識別子群１２２の“８”の位置にある。
【００５７】
図５（ｂ）においても、利用者の肩から足首までの範囲は、噴射部７０の動作範囲Ｒ１とされる。この場合も、利用者の身長範囲Ｒ２の内側であって動作範囲Ｒ１の外側の範囲には、マッサージ対象とならない利用者の頭や足先が位置付けられている。したがって、利用者に対するマッサージは、動作範囲Ｒ１に対してのみ行われる。
【００５８】
このように、利用者が支持シート８０上においてどちらの向きに横たわったとしても、第１識別子群１２１または第２識別子群１２２により、利用者の肩の位置を特定できる。利用者に対してマッサージを行う際に、利用者の肩の位置に対応する識別子が、操作者により、表示入力部１ｂを介して入力される。さらに、表示入力部１ｂを介して、利用者の向きおよび身長が入力される。これにより、利用者の足首の位置が検知される。
【００５９】
図５（ａ）、（ｂ）において、利用者の肩から足首までの範囲は、噴射部７０の動作範囲Ｒ１とされる。利用者の身長範囲Ｒ２の内側であって動作範囲Ｒ１の外側の範囲には、マッサージ対象とならない利用者の頭や足先が位置付けられている。したがって、利用者に対するマッサージは、動作範囲Ｒ１に対してのみ行われる。
【００６０】
図６は、表示入力部１ｂに表示される画面２００の構成を示す模式図である。
【００６１】
画面２００は、利用者情報領域２１０と、モード領域２２０と、部位領域２３０と、速さ領域２４０と、強さ領域２５０と、水温領域２６０と、治療時間領域２７０と、スタートおよび一次停止ボタン２８０と、停止ボタン２９０と、を備える。
【００６２】
利用者情報領域２１０は、利用者の肩の位置と、利用者の身長と、利用者の向きを入力するための領域である。利用者情報領域２１０は、位置入力領域２０１と、身長入力領域２０２と、ボタン領域２０３と、向き入力領域２０４とを備える。ボタン領域２０３は、第１識別子群１２１および第２識別子群１２２の“１”〜“８”の識別子に対応した８個のボタンに、“９”、“０”を追加した合計１０個のボタンを備える。“９”、“０”のボタンは利用者の身長を入力する際に用いられる。向き入力領域２０４は、“１”、“２”の２個のボタンを備える。
【００６３】
肩位置を入力する場合、操作者は、位置入力領域２０１をタッチした後、ボタン領域２０３に配置された“１”〜“８”のいずれかのボタンをタッチする。これにより、位置入力領域２０１に、タッチされたボタンに対応する識別子が入力される。
【００６４】
たとえば、図５（ａ）の例のように利用者が横たわっている場合、操作者は、位置入力領域２０１に肩の位置として“７”を入力する。図５（ｂ）の例のように利用者が横たわっている場合、操作者は、位置入力領域２０１に肩の位置として“８”を入力する。
【００６５】
身長を入力する場合、操作者は、身長入力領域２０２をタッチした後、ボタン領域２０３に配置された“１”〜“０”のいずれかのボタンをタッチする。たとえば、利用者の身長が１７０ｃｍである場合、操作者は、ボタン領域２０３に配置された“１”、“７”、“０”のボタンを順番にタッチする。これにより、利用者の身長が入力される。
【００６６】
向きを入力する場合、操作者は、向き入力領域２０４の“１”、“２”の何れか一方のボタンをタッチする。たとえば、図５（ａ）の例のように利用者が横たわっている場合、操作者は、向き入力領域２０４の“１”のボタンをタッチする。また、図５（ｂ）の例のように利用者が横たわっている場合、操作者は、向き入力領域２０４の“２”のボタンをタッチする。向き入力領域２０４の“１”のボタンと“２”のバタンは、それぞれ、予め、図５（ａ）に示す利用者の向きと、図５（ｂ）に示す利用者の向きが対応づけられている。こうして、支持シート８０に横たわる利用者の向きが入力される。
【００６７】
モード領域２２０は、支持シート８０に対してどのような軌跡で水を噴き付けるかを設定するための領域である。モード領域２２０は、マッサージのパターンをあらかじめ決められたパターンに設定するためのボタンと、イラストに示されるようにマッサージのパターンを設定するための５つのボタンと、を備える。部位領域２３０は、利用者のどの部位に対してマッサージを行うかを設定するための領域である。部位領域２３０は、マッサージを行う部位を、“全身”、“肩”、“上半身”、“腰”、“下半身”のいずれかに設定するための５つのボタンを備える。速さ領域２４０は、噴射部７０の移動速度、すなわちマッサージの速さを設定するための領域である。速さ領域２４０は、マッサージの速さを設定するための６つのボタンを備える。強さ領域２５０は、噴射部７０から噴き付ける水圧、すなわちマッサージの強さを設定するための領域である。強さ領域２５０は、マッサージの強さを設定するための６つのボタンを備える。
【００６８】
水温領域２６０は、水槽１０と支持シート８０とによって閉じられた空間に充填された水の温度を設定するための領域である。水温領域２６０は、設定温度を上下させるための２つのボタンと、設定温度を表示する温度表示領域と、を備える。治療時間領域２７０は、マッサージを行う時間を設定するための領域である。治療時間領域２７０は、設定時間を増減させるための２つのボタンと、設定時間を表示する時間表示領域と、を備える。スタートおよび一次停止ボタン２８０は、マッサージを開始させるとともに、実行中のマッサージ動作を一次停止させるためのボタンである。停止ボタン２９０は、実行中のマッサージ動作を停止させるためのボタンである。
【００６９】
図７は、ウォーターベッド１の構成を示すブロック図である。
【００７０】
ウォーターベッド１は、回路基板４０と、サーミスタ１６と、ポンプ３０と、温度調節器６０と、噴射部７０と、表示入力部１ｂと、を備える。回路基板４０は、制御部４１と、記憶部４２と、インターフェース４３と、を備える。制御部４１は、ＣＰＵやマイクロコンピュータにより構成される。記憶部４２は、ＲＡＭ、ＲＯＭ、ハードディスク等により構成される。制御部４１は、記憶部４２に保持されたプログラムに従って、ウォーターベッド１の各部を制御する。制御部４１は、インターフェース４３を介して、各部に制御信号を出力し、また、インターフェース４３を介して各部からの信号を受信する。
【００７１】
図８は、制御部４１による制御を示すフローチャートである。
【００７２】
操作者は、マッサージを開始する場合、まず筐体１００に設けられた図示しない電源スイッチを操作して、ウォーターベッド１の電源をオンにする。これにより、温度調節器６０が駆動され、ウォーターベッド１内の水温が所定温度とされる。なお、噴射部７０が駆動されている間は、ウォーターベッド１内の水温が画面２００を介して設定された水温となるよう、温度調節器６０が制御される。
【００７３】
利用者は、マッサージを受ける場合、まず支持シート８０上に移乗し、支持シート８０上に横たわる。このとき、利用者の横たわる向きは、図５（ａ）、（ｂ）に示したように、Ｙ軸正方向およびＹ軸負方向のいずれでもよい。操作者は、利用者が支持シート８０上に横たわったことを確認して、表示入力部１ｂを介して位置の入力と、利用者の身長および向きの入力を行う。具体的には、操作者は、支持シート８０上に横たわる利用者の肩の位置を確認し、画面２００において、位置入力領域２０１とボタン領域２０３のボタンとを操作して、肩の位置を入力する。また、操作者は、画面２００において、身長入力領域２０２とボタン領域２０３のボタンとを操作して、予め把握している利用者の身長を入力する。さらに、操作者は、向き入力領域２０４を操作して、支持シート８０上に横たわる利用者の向きを入力する。これにより、制御部４１は、利用者の肩の位置と、身長および向きを受け付ける（Ｓ１１）。
【００７４】
続いて、操作者は、表示入力部１ｂを介して、利用者に対して行う治療プログラムの設定を行う。具体的には、操作者は、モード領域２２０と、部位領域２３０と、速さ領域２４０と、強さ領域２５０と、水温領域２６０と、治療時間領域２７０とにおいて、ボタンを操作して各設定を行う。これにより、制御部４１は、治療プログラムを受け付ける（Ｓ１２）。
【００７５】
続いて、操作者がスタートおよび一次停止ボタン２８０にタッチすると、制御部４１は、マッサージの開始指示を受け付ける。制御部４１は、マッサージの開始指示を受け付けると（Ｓ１３：ＹＥＳ）、Ｓ１１、Ｓ１２で受け付けた設定に基づいて、ポンプ３０と噴射部７０を駆動し、利用者に対するマッサージを実行する（Ｓ１４）。これにより、操作者が画面２００を介して設定した内容に基づいて、支持シート８０上に横たわる利用者に支持シート８０を介して水が噴き付けられる。
【００７６】
Ｓ１４において、制御部４１は、支持シート８０上に横たわった利用者の位置（ここでは、肩の位置）、身長および向きに適応するよう、噴射部７０を制御する。すなわち、制御部４１は、Ｓ１１において受け付けた利用者の位置、身長および向きに適応するように、噴射部７０を制御する。たとえば、制御部４１は、Ｓ１１で受け付けた利用者の肩の位置、身長および向きがパラメータとして入力されると、Ｓ１２で受け付けた治療プログラムに応じた動作で噴射部７０を制御するように、プログラミングされている。
【００７７】
こうして、制御部４１は、マッサージ対象とする部位に適切に水が噴き付けられるよう、噴射部７０を駆動する。
【００７８】
なお、噴射部７０の駆動中に、操作者がスタートおよび一次停止ボタン２８０にタッチすると、噴射部７０の駆動が一次停止される。一次停止の状態で、操作者がスタートおよび一次停止ボタン２８０にタッチすると、噴射部７０の駆動が再開される。
【００７９】
治療時間領域２７０を介して入力された治療時間が経過した場合、または、噴射部７０の駆動中に、操作者が停止ボタン２９０にタッチした場合、マッサージは終了となる。制御部４１は、マッサージが終了したことを検知すると（Ｓ１５：ＹＥＳ）、ポンプ３０と、噴射部７０の駆動を停止する（Ｓ１６）。利用者は、マッサージが終了したことを確認して、本体１ａから降りる。こうして、利用者に対する一連のマッサージ動作が完了する。
【００８０】
＜実施形態１の効果＞
実施形態１によれば、以下の効果が奏され得る。
【００８１】
操作者が、第１識別子群１２１と第２識別子群１２２が示す利用者の肩の位置と、利用者の身長および向きを図６の画面２００において入力すると、制御部４１は、入力された利用者の肩の位置、身長および向きに適応するよう、噴射部７０を制御する。これにより、利用者の各部に的確なマッサージを施すことができる。この際、利用者は、装置のマッサージ範囲に身体を合わせて支持シート８０上に横たわる必要がなく、何の制約も無く支持シート８０に横たわればよい。すなわち、利用者が支持シート８０上のどの位置にどの向きで横たわったとしても、利用者に対するマッサージが円滑に行われ得る。よって、たとえば病態により本体１ａに対して特定の向きで横たわることが難しい利用者でも、容易に横たわることができる向きを選んで支持シート８０上に横たわればよい。
【００８２】
また、ウォーターベッド１には、利用者の位置、身長および向きを検知するための構成として、表示入力部１ｂと第１識別子群１２１および第２識別子群１２２が配置されるのみである。したがって、たとえば利用者の位置を検知するためのセンサや利用者の足を保持するための保持部が配置される場合に比べて、ウォーターベッド１の構成を顕著に簡素化できる。
【００８３】
また、第１識別子群１２１と第２識別子群１２２は、互いに同じ種類の文字からなっている。このため、操作者は、迷うことなく円滑に、識別子の入力を行える。
【００８４】
第１識別子群１２１と第２識別子群１２２は、本体１ａの上面、具体的には筐体１００の上面１０１に配置されている。これにより、第１識別子群１２１と第２識別子群１２２を、操作者が視認しやすくなる。また、第１識別子群１２１と第２識別子群１２２は、上面１０１の縁１１１、１１２に配置されている。これにより、第１識別子群１２１と第２識別子群１２２が支持シート８０に配置される場合に比べて、支持シート８０上に横たわる利用者によって第１識別子群１２１と第２識別子群１２２が隠されにくくなる。このため、第１識別子群１２１と第２識別子群１２２を、操作者が視認しやすくなる。
【００８５】
なお、実施形態１では、第１識別子群１２１または第２識別子群１２２によって、支持シート８０に横たわる利用者の肩の位置が入力されたが、肩の位置に代えて足首の位置を入力するようにしてもよい。
【００８６】
＜実施形態２＞
実施形態１では、第１識別子群１２１と第２識別子群１２２は、利用者の肩に位置付けられるよう配置されたが、利用者の他の部位に位置付けられるよう配置されてもよい。
【００８７】
図９（ａ）に示すように、実施形態２の第１識別子群１２１と第２識別子群１２２は、実施形態１と比較して、横臥領域Ａ１のＹ軸方向の中央位置に近付けられている。実施形態２の第１識別子群１２１は、Ｙ軸負方向に横たわる利用者のひざに相当する範囲に配置され、第２識別子群１２２は、Ｙ軸正方向に横たわる利用者のひざに相当する範囲に配置されている。図９（ａ）に示す例では、利用者のひざが、第２識別子群１２２の“３”の位置にある。
【００８８】
図９（ｂ）に示すように、実施形態２では、実施形態１と比較して、位置入力領域２０１の近傍には“ひざ”が表示されている。図９（ａ）のように利用者が横たわっている場合、操作者は、位置入力領域２０１にひざの位置として“３”を入力する。
【００８９】
実施形態２では、利用者情報領域２１０を介して入力された“ひざの位置”、“身長”および“向き”に適応するように、噴射部７０が制御される。これにより、実施形態２においても、利用者は、任意の位置に任意の向きで支持シート８０上に横たわればよく、どのような位置および向きで横たわっても、肩、上半身、腰、下半身等、マッサージ対象とする部位に的確な刺激が与えられる。
【００９０】
＜実施形態３＞
実施形態３では、Ｙ軸方向の中央位置に１つの識別子群のみが配置されている。
【００９１】
図１０（ａ）に示すように、実施形態３の識別子群１２３は、横臥領域Ａ１のＹ軸方向の中央位置に配置されている。したがって、識別子群１２３は、利用者がＹ軸正方向とＹ軸負方向の何れの方向で横たわっても、利用者の腰に相当する範囲に配置される。図１０（ａ）に示す例では、利用者の腰が、識別子群１２３の“２”の位置にある。
【００９２】
図１０（ｂ）に示すように、実施形態３では、位置入力領域２０１の近傍に“腰”が表示されている。図１０（ａ）のように利用者が横たわっている場合、操作者は、位置入力領域２０１に腰の位置として“２”を入力する。
【００９３】
実施形態３では、利用者情報領域２１０を介して入力された“腰の位置”、“身長”および“向き”に適応するように、噴射部７０が制御される。これにより、実施形態３においても、利用者は、任意の位置に任意の向きで支持シート８０上に横たわればよく、どのような位置および向きで横たわっても、肩、上半身、腰、下半身等、マッサージ対象とする部位に的確な刺激が与えられる。
【００９４】
＜実施形態４＞
実施形態１では、支持シート８０に横たわる利用者の向きが表示入力部１ｂを介して入力されたが、実施形態４では、第１識別子群１２１および第２識別子群１２２を用いた入力により、利用者の向きが検知される。
【００９５】
図１１（ａ）に示すように、実施形態４の第１識別子群１２１の文字が、実施形態１における数字からアルファベットの文字に置き換えられている。図１１（ａ）に示すようにＹ軸正方向利用者が横たわると、第１識別子群１２１が、利用者の肩に相当する範囲に配置される。また、Ｙ軸負方向に利用者が横たわると、第２識別子群１２２が、利用者の肩に相当する範囲に配置される。
【００９６】
図１１（ｂ）に示すように、実施形態４では、ボタン領域２０３に、“Ａ”〜“Ｈ”のボタンがさらに追加されている。図１１（ａ）のように利用者が横たわっている場合、操作者は、ボタン領域２０３の“Ｇ”のボタンをタッチして、位置入力領域２０１に肩の位置として“Ｇ”を入力する。
【００９７】
ここで、利用者の向きは、肩の位置として、第１識別子群１２１と第２識別子群１２２のうち何れの識別子群に含まれる識別子が操作者により入力されたかによって検知される。たとえば、肩の位置として第１識別子群１２１の文字種（アルファベット）の識別子が入力された場合、制御部４１は、図１１（ａ）に示すように、Ｙ軸正方向に頭を向けて利用者が横たわっていると検知する。また、肩の位置として第２識別子群１２２の文字種（数字）の識別子が入力された場合、制御部４１は、図１１（ａ）とは逆の方向、すなわち、Ｙ軸負方向に頭を向けて利用者が横たわっていると検知する。支持シート８０上における利用者の位置は、肩の位置として入力された識別子から検知される。
【００９８】
実施形態４では、利用者情報領域２１０を介して入力された“肩の位置”および“身長”と、肩の位置から検知された“向き”とに適応するように、噴射部７０が制御される。これにより、実施形態４においても、利用者は、任意の位置に任意の向きで支持シート８０上に横たわればよく、どのような位置および向きで横たわっても、肩、上半身、腰、下半身等、マッサージ対象とする部位に的確な刺激が与えられる。
【００９９】
さらに、実施形態４では、実施形態１〜３に比べて、“向き”の入力を省略できる。よって、操作者の作業をより簡便化できる。
【０１００】
加えて、実施形態４では、第１識別子群１２１と第２識別子群１２２は、互いに異なる種類の文字からなっているため、操作者は、第１識別子群１２１と第２識別子群１２２を明確に区別できる。このため、操作者は、第１識別子群１２１と第２識別子群１２２に基づく入力を円滑に進めることができる。
【０１０１】
＜変更例＞
以上、本発明の実施形態１〜４について説明したが、本発明は、上記実施形態に何ら制限されるものではなく、本発明の構成例も他に種々の変更が可能である。
【０１０２】
たとえば、上記実施形態では、第１識別子群１２１、第２識別子群１２２および識別子群１２３は、筐体１００の上面１０１に配置されたが、これに限らず、筐体１００のＸ軸正側の側面とＸ軸負側の側面に配置されてもよい。また、これら識別子群は、支持シート８０の上面に配置されてもよい。ただし、識別子群は、操作者が視認しやすいように、上面１０１に配置されるのが望ましい。
【０１０３】
上記実施形態では、第１識別子群１２１、第２識別子群１２２および識別子群１２３は、８個の識別子により構成されたが、８個より多い識別子により構成されてもよく、８個より少ない識別子により構成されてもよい。また、隣り合う識別子同士の間隔も、上記実施形態の間隔に限らない。また、１つの識別子群のＹ軸方向の長さ、すなわち、両端の識別子の間隔は、上記実施形態のものに限らない。ただし、１つの識別子群において識別子同士の間隔を広げると、利用者の部位に対応する位置を精度よく特定できなくなる。また、識別子群のＹ軸方向の長さを短くすると、利用者の部位の位置が識別子群の範囲に入らなくなる場合がある。したがって、識別子同士の間隔は狭い方が好ましく、識別子群のＹ軸方向の長さは大きいほうが好ましい。
【０１０４】
上記実施形態では、第１識別子群１２１、第２識別子群１２２および識別子群１２３を構成する識別子は、アルファベットや数字であったが、これに限らず、記号等、区別可能な他の標識であってもよい。また、実施形態４における第１識別子群１２１および第２識別子群１２２は、必ずしも、互いに異なる文字種でなくてもよく、同じ文字種によって、互いに区別可能に構成されてもよい。たとえば、第１識別子群１２１が“１”〜“８”の識別子により構成され、第２識別子群１２２が“１１”〜“１８”の識別子により構成されてもよい。
【０１０５】
上記実施形態では、第１識別子群１２１、第２識別子群１２２および識別子群１２３は、縁１１１、１１２に配置された目盛りと識別子により構成されたが、これに限らず、縁１１１、１１２に貼り付けられたラベルに配置された目盛りと識別子により構成されてもよい。また、識別子群は、縁１１１、１１２に配置された液晶表示部に表示された識別子により構成されてもよい。
【０１０６】
上記実施形態の表示入力部１ｂは、タッチパネル式のディスプレイにより構成されたが、これに限らず、ディスプレイからなる表示部と、マウスやキーボードからなる入力部とにより構成されてもよい。また、表示入力部１ｂは、設定を変更するための物理ボタンと、設定状態を示すランプとにより構成されてもよい。また、表示入力部１ｂに表示される画面２００のレイアウトは、図６、図９（ｂ）、図１０（ｂ）、図１１（ｂ）に示す例に限らず、設定を変更可能に構成されればよい。また、水槽１０と支持シート８０とによって閉じられた空間に充填される液体は水であったが、これに限らず、他の液体であってもよい。
【０１０７】
この他、本発明の実施形態は、特許請求の範囲に示された技術的思想の範囲内において、適宜、種々の変更が可能である。
【符号の説明】
【０１０８】
１  ウォーターベッド
１ａ  本体
１ｂ  表示入力部
４１  制御部
７０  噴射部
８０  支持シート
１１１、１１２  縁
１２１  第１識別子群
１２２  第２識別子群
１２３  識別子群
２０１  位置入力領域
２０２  身長入力領域
２０３  ボタン領域
２０４  向き入力領域
Ａ１  横臥領域
【図１】
2017185031.tif 000003
【図２】
2017185031.tif 000004
【図３】
2017185031.tif 000005
【図４】
2017185031.tif 000006
【図５】
2017185031.tif 000007
【図６】
2017185031.tif 000008
【図７】
2017185031.tif 000009
【図８】
2017185031.tif 000010
【図９】
2017185031.tif 000011
【図１０】
2017185031.tif 000012
【図１１】
2017185031.tif 000013